(57)【要約】【課題】既存の商品収納コラムや外扉、内扉を再利用でき、且つ、商品収納部の商品の冷却にも支障を来さない自動販売機を提供する。【解決手段】各冷却器３６、４１、４６の冷媒下流側に吸熱用熱交換器が設けられ、各冷却器４６、４１、４６から流出した冷媒に吸熱させると共に、圧縮機４９は冷却専用室２０の下方に対応して設けられ、この圧縮機４９の上方に対応する部分の機械室仕切板２５の下面は他の部分よりも高い圧縮機逃げ部６１とされ、この圧縮機逃げ部６１の断熱厚みは他の部分よりも薄くされている。【選択図】図３
2014052769.tif 000002
【特許請求の範囲】
【請求項１】
本体内の上部に商品を収納する商品収納部が構成され、下部に冷却ユニットを構成する圧縮機及び主放熱器が設けられる機械室が構成された自動販売機において、
前記商品収納部は、断熱性の収納部仕切板により冷却及び加熱の切り換えが可能な冷温切換室と冷却専用の冷却専用室とに仕切られ、前記商品収納部と前記機械室とは断熱性の機械室仕切板にて仕切られており、
前記本体の前面を開閉する外扉と、前記商品収納部の前面を開閉する内扉と、前記冷温切換室と前記冷却専用室にそれぞれ設けられて商品を収納する商品収納コラムと、前記冷温切換室に設けられ、前記冷却ユニットを構成する切換室用放熱器及び切換室用冷却器と、前記冷却専用室に設けられ、前記冷却ユニットを構成する専用室用冷却器及び吸熱用熱交換器とを備え、
前記各冷却器の冷媒下流側に前記吸熱用熱交換器が設けられ、各冷却器から流出した冷媒に吸熱させると共に、
前記圧縮機は前記冷却専用室の下方に対応して設けられ、該圧縮機の上方に対応する部分の前記機械室仕切板の下面は他の部分よりも高い圧縮機逃げ部とされ、該圧縮機逃げ部の断熱厚みは他の部分よりも薄くされていることを特徴とする自動販売機。
【請求項２】
前記機械室仕切板は、前記本体に固定された鋼板製の機械室天板と、該機械室天板上に設けられた断熱材とから成り、
前記機械室天板は、前端にて立ち上がる起立フランジを有し、前記断熱材は該起立フランジの後側に収納設置されると共に、
前記圧縮機の上方に対応する前記機械室天板には、前記起立フランジの下部から後方に連続して切り欠かれた切欠部が形成され、該切欠部はその前端の高さで後退する上壁を有した閉塞板にて閉塞され、該閉塞板下側に前記圧縮機逃げ部が構成されていることを特徴とする請求項１に記載の自動販売機。
【請求項３】
前記切欠部は前記機械室天板の後端より手前で終了していることを特徴とする請求項２に記載の自動販売機。
【請求項４】
前記閉塞板上に設けられる前記断熱材と、それ以外の部分の前記機械室天板上に設けられる前記断熱材とを分離し、前記閉塞板上の断熱材の厚さ寸法を、それ以外の前記断熱材よりも、前記閉塞板の上壁上面の高さと前記機械室天板上面の高さの差分だけ薄くしたことを特徴とする請求項２に記載の自動販売機。
【請求項５】
前記切欠部は前記機械室天板の後端より手前で終了しており、前記閉塞板上の断熱材は前記機械室天板の後端まで延在し、当該断熱材と前記切欠部後側の部分の前記機械室天板上面との間には、パッキンが設けられていることを特徴とする請求項４に記載の自動販売機。
【請求項６】
前記圧縮機逃げ部の幅は、前記圧縮機の直径よりも小さいことを特徴とする請求項１乃至請求項５のうちの何れかに記載の自動販売機。
【請求項７】
前記圧縮機逃げ部の側面は、下方が拡開する如く傾斜していることを特徴とする請求項１乃至請求項６のうちの何れかに記載の自動販売機。
【請求項８】
本体内の上部に商品を収納する商品収納部が構成され、下部に冷却ユニットを構成する圧縮機及び主放熱器が設けられる機械室が構成されると共に、前記商品収納部が、断熱性の収納部仕切板により冷却及び加熱の切り換えが可能な冷温切換室と冷却専用の冷却専用室とに仕切られ、前記商品収納部と前記機械室が断熱性の機械室仕切板にて仕切られており、前記本体の前面を開閉する外扉と、前記商品収納部の前面を開閉する内扉と、前記冷温切換室と前記冷却専用室にそれぞれ設けられて商品を収納する商品収納コラムと、前記冷温切換室に設けられ、前記冷却ユニットを構成する切換室用放熱器及び切換室用冷却器と、前記冷却専用室に設けられ、前記冷却ユニットを構成する専用室用冷却器及び吸熱用熱交換器とを備え、前記各冷却器の冷媒下流側に前記吸熱用熱交換器が設けられ、各冷却器から流出した冷媒に吸熱させる自動販売機において、既存の商品収納コラム、外扉及び内扉のうちの少なくとも一つを利用しながら、既存の圧縮機よりも高さ寸法が高い圧縮機を機械室に設けるに当たり、
前記冷却専用室の下方に対応する部分の前記機械室仕切板の断熱厚みを他の部分よりも薄くすることにより、当該機械室仕切板の下面が他の部分よりも高い圧縮機逃げ部を形成し、該圧縮機逃げ部の下方に対応させて前記高さ寸法が高い圧縮機を設けることを特徴とする自動販売機における部材再利用方法。
【発明の詳細な説明】
【技術分野】
【０００１】
本発明は、本体内上部に商品を収納する商品収納部が構成され、下部に冷却ユニットを構成する圧縮機や主放熱器が設けられる機械室が構成された自動販売機、及び、該自動販売機の商品収納コラムや外扉、内扉を再利用する部材再利用方法に関するものである。
【背景技術】
【０００２】
従来よりこの種自動販売機は、断熱箱から構成された本体内の上部に商品を収納する商品収納部が構成され、下部には冷却ユニットの圧縮機や主放熱器が設けられる機械室が構成されている。そして、商品収納部の前面は内扉により開閉自在に閉塞され、本体の前面は外扉により開閉自在に閉塞されている。
【０００３】
また、商品収納部は断熱性の収納部仕切板により左右に仕切られ、冷却及び加熱の切り換えが可能な冷温切換室と冷却専用の冷却専用室が構成されており、各室には商品を収納する商品収納コラムがそれぞれ設けられている。更に、商品収納部と機械室とは断熱性の機械室仕切板により仕切られている。
【０００４】
また、冷温切換室には冷却ユニットを構成する切換室用放熱器及び切換室用冷却器が設けられると共に、冷却専用室には専用室用冷却器及び吸熱用熱交換器が設けられている。この吸熱用熱交換器は各冷却器の冷媒下流側に設けられ、各冷却器から流出した冷媒に吸熱させるので、冷却負荷が小さい場合でも冷却運転やヒートポンプ運転の効率向上が図れると共に、冷却専用室の冷却に寄与するため、当該冷却専用室の運転率の低下による省エネ化も図ることが可能となるものであった（例えば、特許文献１参照）。
【先行技術文献】
【特許文献】
【０００５】
【特許文献１】特開２００８−２６７６４１号公報
【発明の概要】
【発明が解決しようとする課題】
【０００６】
ところで、近年では地球環境問題の解決に寄与するために、この種自動販売機においても冷温切換室を電気ヒータのみでは無く冷却ユニットの高温冷媒を利用して加熱するヒートポンプ化や、冷却ユニットの冷媒を自然冷媒化する省エネ対策が施されるようになって来ている。また、そのような省エネ対策が実施されていない冷却ユニットが設けられた既存の自動販売機を、省エネ対策が施された新しい冷却ユニットの自動販売機に変える際にも、既存の自動販売機を全て処分してしまうのでは無く、本体は新たに製造するものの、それに取り付ける商品収納コラムや外扉、内扉は既存のものを再利用しようとする動きも活発化している。
【０００７】
このような部材の再利用は自動販売機のリニューアルと称され、資源を有効利用することによる自然環境問題の解消に寄与するものであるが、省エネ対策が施された冷却ユニットの圧縮機は、既存の圧縮機よりも高さ寸法が高くなる。一方で、既存の圧縮機を設置する機械室の高さは低く設計されているため、商品収納部の上下寸法も大きく、その分商品収納コラムの上下寸法も大きい。また、本体の全高は設置現場の制約から拡大することができないため、係る上下寸法が大きい既存の商品収納コラムを取り付けることができる商品収納部を本体内上部に構成した場合、下部の機械室の高さが省エネ対策された冷却ユニットの圧縮機を設けるには、その高さ寸法が不足してしまうという問題があった。ここで、既存の内扉や外扉も既存の機械室の高さ寸法に合わせて設計されているので、それらを再利用する場合には同様の問題が生じる。
【０００８】
本発明は、係る従来の技術的課題を解決するためになされたものであり、既存の商品収納コラムや外扉、内扉を再利用でき、且つ、商品収納部の商品の冷却にも支障を来さない自動販売機、及び、それにおける部材再利用方法を提供する。
【課題を解決するための手段】
【０００９】
請求項１の発明の自動販売機は、本体内の上部に商品を収納する商品収納部が構成され、下部に冷却ユニットを構成する圧縮機及び主放熱器が設けられる機械室が構成されたものであって、商品収納部は、断熱性の収納部仕切板により冷却及び加熱の切り換えが可能な冷温切換室と冷却専用の冷却専用室とに仕切られ、商品収納部と機械室とは断熱性の機械室仕切板にて仕切られており、本体の前面を開閉する外扉と、商品収納部の前面を開閉する内扉と、冷温切換室と冷却専用室にそれぞれ設けられて商品を収納する商品収納コラムと、冷温切換室に設けられ、冷却ユニットを構成する切換室用放熱器及び切換室用冷却器と、冷却専用室に設けられ、冷却ユニットを構成する専用室用冷却器及び吸熱用熱交換器とを備え、各冷却器の冷媒下流側に吸熱用熱交換器が設けられ、各冷却器から流出した冷媒に吸熱させると共に、圧縮機は冷却専用室の下方に対応して設けられ、この圧縮機の上方に対応する部分の機械室仕切板の下面は他の部分よりも高い圧縮機逃げ部とされ、この圧縮機逃げ部の断熱厚みは他の部分よりも薄くされていることを特徴とする。
【００１０】
請求項２の発明の自動販売機は、上記発明において機械室仕切板は、本体に固定された鋼板製の機械室天板と、この機械室天板上に設けられた断熱材とから成り、機械室天板は、前端にて立ち上がる起立フランジを有し、断熱材はこの起立フランジの後側に収納設置されると共に、圧縮機の上方に対応する機械室天板には、起立フランジの下部から後方に連続して切り欠かれた切欠部が形成され、この切欠部はその前端の高さで後退する上壁を有した閉塞板にて閉塞され、この閉塞板下側に圧縮機逃げ部が構成されていることを特徴とする。
【００１１】
請求項３の発明の自動販売機は、上記発明において切欠部は機械室天板の後端より手前で終了していることを特徴とする。
【００１２】
請求項４の発明の自動販売機は、請求項２の発明において閉塞板上に設けられる断熱材と、それ以外の部分の機械室天板上に設けられる断熱材とを分離し、閉塞板上の断熱材の厚さ寸法を、それ以外の断熱材よりも、閉塞板の上壁上面の高さと機械室天板上面の高さの差分だけ薄くしたことを特徴とする。
【００１３】
請求項５の発明の自動販売機は、上記発明において切欠部は機械室天板の後端より手前で終了しており、閉塞板上の断熱材は機械室天板の後端まで延在し、当該断熱材と切欠部後側の部分の機械室天板上面との間には、パッキンが設けられていることを特徴とする。
【００１４】
請求項６の発明の自動販売機は、上記各発明において圧縮機逃げ部の幅は、圧縮機の直径よりも小さいことを特徴とする。
【００１５】
請求項７の発明の自動販売機は、上記各発明において圧縮機逃げ部の側面は、下方が拡開する如く傾斜していることを特徴とする。
【００１６】
請求項８の発明の自動販売機の部材再利用方法は、本体内の上部に商品を収納する商品収納部が構成され、下部に冷却ユニットを構成する圧縮機及び主放熱器が設けられる機械室が構成されると共に、商品収納部が、断熱性の収納部仕切板により冷却及び加熱の切り換えが可能な冷温切換室と冷却専用の冷却専用室とに仕切られ、商品収納部と機械室が断熱性の機械室仕切板にて仕切られており、本体の前面を開閉する外扉と、商品収納部の前面を開閉する内扉と、冷温切換室と冷却専用室にそれぞれ設けられて商品を収納する商品収納コラムと、冷温切換室に設けられ、冷却ユニットを構成する切換室用放熱器及び切換室用冷却器と、冷却専用室に設けられ、冷却ユニットを構成する専用室用冷却器及び吸熱用熱交換器とを備え、各冷却器の冷媒下流側に吸熱用熱交換器が設けられ、各冷却器から流出した冷媒に吸熱させる自動販売機において、既存の商品収納コラム、外扉及び内扉のうちの少なくとも一つを利用しながら、既存の圧縮機よりも高さ寸法が高い圧縮機を機械室に設けるに当たり、冷却専用室の下方に対応する部分の機械室仕切板の断熱厚みを他の部分よりも薄くすることにより、当該機械室仕切板の下面が他の部分よりも高い圧縮機逃げ部を形成し、この圧縮機逃げ部の下方に対応させて高さ寸法が高い圧縮機を設けることを特徴とする。
【発明の効果】
【００１７】
請求項１の発明では、本体内の上部に商品を収納する商品収納部が構成され、下部に冷却ユニットを構成する圧縮機及び主放熱器が設けられる機械室が構成された自動販売機において、商品収納部は、断熱性の収納部仕切板により冷却及び加熱の切り換えが可能な冷温切換室と冷却専用の冷却専用室とに仕切られ、商品収納部と機械室とは断熱性の機械室仕切板にて仕切られており、本体の前面を開閉する外扉と、商品収納部の前面を開閉する内扉と、冷温切換室と冷却専用室にそれぞれ設けられて商品を収納する商品収納コラムと、冷温切換室に設けられ、冷却ユニットを構成する切換室用放熱器及び切換室用冷却器と、冷却専用室に設けられ、冷却ユニットを構成する専用室用冷却器及び吸熱用熱交換器とを備え、各冷却器の冷媒下流側に吸熱用熱交換器が設けられ、各冷却器から流出した冷媒に吸熱させると共に、圧縮機は冷却専用室の下方に対応して設けられ、この圧縮機の上方に対応する部分の機械室仕切板の下面は他の部分よりも高い圧縮機逃げ部とされ、この圧縮機逃げ部の断熱厚みは他の部分よりも薄くされている。
【００１８】
また、請求項８の発明の自動販売機の部材再利用方法では、本体内の上部に商品を収納する商品収納部が構成され、下部に冷却ユニットを構成する圧縮機及び主放熱器が設けられる機械室が構成されると共に、商品収納部が、断熱性の収納部仕切板により冷却及び加熱の切り換えが可能な冷温切換室と冷却専用の冷却専用室とに仕切られ、商品収納部と機械室が断熱性の機械室仕切板にて仕切られており、本体の前面を開閉する外扉と、商品収納部の前面を開閉する内扉と、冷温切換室と冷却専用室にそれぞれ設けられて商品を収納する商品収納コラムと、冷温切換室に設けられ、冷却ユニットを構成する切換室用放熱器及び切換室用冷却器と、冷却専用室に設けられ、冷却ユニットを構成する専用室用冷却器及び吸熱用熱交換器とを備え、各冷却器の冷媒下流側に吸熱用熱交換器が設けられ、各冷却器から流出した冷媒に吸熱させる自動販売機において、既存の商品収納コラム、外扉及び内扉のうちの少なくとも一つを利用しながら、既存の圧縮機よりも高さ寸法が高い圧縮機を機械室に設けるに当たり、冷却専用室の下方に対応する部分の機械室仕切板の断熱厚みを他の部分よりも薄くすることにより、当該機械室仕切板の下面が他の部分よりも高い圧縮機逃げ部を形成し、この圧縮機逃げ部の下方に対応させて高さ寸法が高い圧縮機を設けるようにしているので、これら請求項１及び請求項８の発明によれば、高さが低い既存の設計の機械室であっても、圧縮機逃げ部を利用して、省エネ対策が施された高さ寸法の高い圧縮機を設置することができるようになる。これにより、既存の商品収納コラムや外扉、内扉を支障無く再利用することが可能となる。
【００１９】
特に、機械室仕切板の下面を他の部分より高くして圧縮機逃げ部を形成するために、その部分の断熱厚みを薄くしているので、圧縮機逃げ部を形成するために商品収納部が狭くなることも無く、既存の商品収納コラムの設置に問題が生じることも無くなる。
【００２０】
ここで、冷温切換室の下方に対応する部分の機械室仕切板の断熱厚みを薄くして圧縮機逃げ部を形成した場合、圧縮機からの熱影響で冷温切換室の温度が上昇し、運転率が上がるようになる。そのため、切換室用冷却器の冷媒下流側にある吸熱用熱交換器に流れる冷媒量が増大し、冷却専用室の温度が必要以上に低下してしまう問題が発生するが、本発明では冷却専用室の下方に対応する部分の機械室仕切板の断熱厚みを薄くすることで圧縮機逃げ部を形成しているので、係る問題は発生しない。また、冷却専用室は通常他の室よりも容量が大きくなるので、圧縮機からの熱影響による温度上昇も、冷温切換室の場合に比して抑制されることが期待できるものである。
【００２１】
また、請求項２の発明によれば、請求項１の発明に加えて機械室仕切板は、本体に固定された鋼板製の機械室天板と、この機械室天板上に設けられた断熱材とから成り、機械室天板は、前端にて立ち上がる起立フランジを有し、断熱材はこの起立フランジの後側に収納設置されると共に、圧縮機の上方に対応する機械室天板には、起立フランジの下部から後方に連続して切り欠かれた切欠部が形成され、この切欠部はその前端の高さで後退する上壁を有した閉塞板にて閉塞され、この閉塞板下側に圧縮機逃げ部が構成されるようにしているので、圧縮機逃げ部は機械室の前面にも開放するかたちとなる。従って、圧縮機を機械室の前方から容易に設置することが可能となる。
【００２２】
また、請求項３の発明によれば上記発明に加えて、切欠部は機械室天板の後端より手前で終了しているので、切欠部の形成に伴う機械室天板の強度低下を最小限に抑えることができるようになる。
【００２３】
請求項４の発明によれば、請求項２の発明に加えて閉塞板上に設けられる断熱材と、それ以外の部分の機械室天板上に設けられる断熱材とを分離し、閉塞板上の断熱材の厚さ寸法を、それ以外の断熱材よりも、閉塞板の上壁上面の高さと機械室天板上面の高さの差分だけ薄くしたので、圧縮機逃げ部に対応する機械室仕切板の断熱厚みの薄肉化を簡単な構成で達成することができるようになる。
【００２４】
この場合、請求項５の発明の如く切欠部を機械室天板の後端より手前で終了させ、閉塞板上の断熱材は機械室天板の後端まで延在するようにすれば、冷却専用室の容積が異なる複数の機種において、閉塞板上の断熱材と冷温切換室側の機械室天板上の断熱材を共用することが可能となる。更に、閉塞板上の断熱材と切欠部後側の部分の機械室天板上面との間には、パッキンを設けるようにすれば、比較的安価なパッキンで隙間を埋めることができ、コストの削減を図ることができるようになる。そして、この場合も切欠部は機械室天板の後端より手前で終了しているので、切欠部の形成に伴う機械室天板の強度低下を最小限に抑えることができるようになる。
【００２５】
また、請求項６の発明の如く圧縮機逃げ部の幅を、圧縮機の直径よりも小さくすれば、通常湾曲している圧縮機上部の形状を利用して、必要最小限の幅の圧縮機逃げ部にて圧縮機を設置することが可能となり、機械室仕切板の断熱性能の低下を最小限に抑えることが可能となる。
【００２６】
また、請求項７の発明の如く圧縮機逃げ部の側面を、下方が拡開する如く傾斜させれば、圧縮機と圧縮機逃げ部間の空気の流通を円滑化して、圧縮機の放熱性を改善し、冷却ユニットの性能向上と冷却専用室への熱影響の低減を図ることが可能となる。
【図面の簡単な説明】
【００２７】
【図１】本発明を適用した一実施例の自動販売機の正面図である。
【図２】図１の自動販売機の外扉を開いた状態の斜視図である。
【図３】図１の自動販売機の外扉や各内扉を除く本体の正面図である。
【図４】図３の自動販売機の圧縮機逃げ部部分の機械室仕切板及び圧縮機の拡大正面図である。
【図５】図１の自動販売機の冷媒回路を説明する構成図である。
【図６】図１の自動販売機の機械室仕切板の一部透視上方斜視図である。
【図７】図６の機械室仕切板の機械室天板の上方斜視図である。
【図８】図７の機械室天板の下方斜視図である。
【図９】図６の機械室天板の切欠部部分の縦断側面図である。
【図１０】図６の機械室仕切板の分解上方斜視図である。
【図１１】図１０の切欠部及び閉塞板部分の拡大図である。
【図１２】図６の機械室仕切板の分解下方斜視図である。
【図１３】図１２の切欠部及び閉塞板部分の拡大図である。
【図１４】本発明の他の実施例の圧縮機逃げ部部分の機械室仕切板及び圧縮機の拡大正面図である。
【発明を実施するための形態】
【００２８】
以下、本発明の実施の形態について、図面に基づき詳細に説明する。図１及び図２において、実施例の自動販売機１は、鋼板製の外面材２Ａとその内側に設けられた断熱材２Ｂから構成された前面が開口する断熱箱体である本体２と、この本体２の前面を開閉自在に閉塞するよう一側（実施例では向かって左側）が本体２に回動自在に枢支された外扉３を備えている。
【００２９】
この外扉３の前面上部には商品サンプル室４が構成されており、この商品サンプル室４内に陳列された複数の各商品サンプルに対応して複数の商品選択スイッチ６が配置されている。また、商品サンプル室４の下側の外扉３前面には、広告パネル５が構成されており、この広告パネル５の下側の外扉３前面下部には商品取出口７が構成されている。
【００３０】
更に、外扉３前面の向かって右側（非枢支側）中央部には化粧パネル８が取り付けられており、この化粧パネル８内に位置して硬貨投入口９、返却レバー１１が設けられている。また、この化粧パネル８の向かって左側の外扉３前面には、金額表示器１２が取り付けられている。更に、この金額表示器１２の下側の外扉３前面には紙幣識別装置（ビルバリ）１４が取り付けられており、商品取出口７の向かって右側の外扉３前面には硬貨返却口１３が構成されている。
【００３１】
一方、本体２内の上部には上面、左右面及び後面が前記断熱材で囲繞され、前面が開口した商品収納部１６が構成されている。この商品収納部１６は断熱性の収納部仕切板１７によって左右方向三室に仕切られており、向かって右側から二つの冷温切換室１５が形成され、向かって左側に冷却専用室２０が形成されている。尚、この冷却専用室２０は各冷温切換室１５よりも容積が大きい。これは冷却して販売する商品のほうが、加熱して販売する商品よりも一般的に多いからである。この仕切板１７で仕切られた冷温切換室１５及び冷却専用室２０には、販売する商品が蛇行状の商品通路に収納されるサーペンタイン式の商品収納コラム１８が前後方向及び左右方向にそれぞれ設けられている。
【００３２】
商品収納部１６の前面には、それぞれ断熱性を有し、商品収納部１６の前面開口の上部側を開閉するための上部側内扉２１と、商品収納部１６の前面開口の下部側を開閉するための下部側内扉２２が設けられている。この下部側内扉２２は本体２に回動自在に枢支されている。
【００３３】
また、下部側内扉２２の下部には商品収納部１６の各冷温切換室１５及び冷却専用室２０側と外扉３側とを連通する商品搬出口２３が左右方向に並設されている。各商品搬出口２３には開閉自在の搬出扉２４が上縁を中心して回動自在に取り付けられており、前方に案内される商品に押されて回転し、商品搬出口２３を開放して商品を商品取出口７に搬出する構成とされている。
【００３４】
他方、上部側内扉２１は外扉３の商品サンプル室４の後側に対応して当該外扉３に取り付けられており、外扉３を開閉することにより、上部側内扉２１によって商品収納部１６の前面開口の上部側が開閉される構成とされている。更に、上部側内扉２１は外扉３を開放した状態で、当該外扉３から独立して後方に開閉自在とされ、上部側内扉２１を外扉３から後方に開いた状態で、商品サンプル室４内に陳列される商品サンプルを交換できるように構成されている。
【００３５】
また、本体２内の下部には後述する断熱性の機械室仕切板２５（図１、図２では示していない）により前方に開口した機械室２６が形成されている。尚、この機械室２６の前面は図示しないパネルにより開閉自在に閉塞される。また、機械室仕切板２５の後述する断熱材が商品収納部１６の下面を断熱する。
【００３６】
尚、上記外扉３、上部側内扉２１及び下部側内扉２２、各商品収納コラム１８は、省エネ対策が施されていない冷却ユニットが搭載されていた既存の自動販売機に取り付けられていた部材であり、これらを再利用して省エネ対策が施された後述する冷却ユニット５３が搭載された本発明の自動販売機１を構成するものである。但し、本体２は流用する上記既存の各部材の寸法に合わせて新たに製造したものである。従って、機械室２６の高さ寸法は省エネ対策が施されていない冷却ユニット用の低いものとされている。
【００３７】
次に、図３及び図５において、向かって右側の冷温切換室１５には、当該冷温切換室１５に収納された商品を冷却するための切換室用冷却器３６と、商品を加熱するための切換室用放熱器３７と、これらと熱交換した空気を当該冷温切換室１５内に循環するための送風機３８と、切換室用放熱器３７で商品を加熱する際に不足する熱量を補うための電熱ヒータ３９が設けられている。
【００３８】
その左側の冷温切換室１５にも、当該冷温切換室１５に収納された商品を冷却するための切換室用冷却器４１と、商品を加熱するための切換室用放熱器４２と、これらと熱交換した空気を当該冷温切換室１５内に循環するための送風機４３と、切換室用放熱器４２で商品を加熱する際に不足する熱量を補うための電熱ヒータ４４が設けられている。
【００３９】
一方、最も左側の冷却専用室２０には、当該冷却専用室２０に収納された商品を冷却するための専用室用冷却器４６と、前記各切換室用冷却器３６、４１、及び、専用室用冷却器４６から流出する冷媒に更に吸熱をさせるための吸熱用熱交換器４７と、これらと熱交換した空気を当該冷却専用室２０内に循環するための送風機４８が設けられている。
【００４０】
他方、機械室２６には外部との間で空気が流通するように図示しない吸気口や排気口が形成されている。また、機械室２６内には圧縮機４９と、主放熱器５１と、これらを空冷するための機械室用送風機５２が設けられている。尚、圧縮機４９の上部は湾曲している。また、実施例の圧縮機４９は低段側圧縮部４９Ａと高段側圧縮部４９Ｂを有する二段圧縮機であり、低段側圧縮部４９Ａの吐出側は高段側圧縮部４９Ｂの吸込側に接続され、低段側圧縮部４９Ａで圧縮された冷媒を高段側圧縮部４９Ｂに吸い込み、更に圧縮して吐出するものであり、冷媒としては自然冷媒である二酸化炭素が封入されている。
【００４１】
そして、これら圧縮機４９、主放熱器５１、各冷却器３６、４１、４６、吸熱用熱交換器４７、及び、切換室用放熱器３７、４２は冷却ユニット５３の冷媒回路の一部を構成する。冷却ユニット５３はヒートポンプ機能の追加と自然冷媒化の省エネ化が施されたものであり、上記のほかに吸熱用熱交換器４７から流出した冷媒と主放熱器５１から流出する冷媒とを熱交換させるための内部熱交換器５５と、内部熱交換器５５から流出して圧縮機４９に吸い込まれる冷媒と各切換室用放熱器３７、４２から流出した冷媒とを熱交換させるための内部熱交換器５４と、冷媒を減圧するための膨張弁５６Ａ、５６Ｂ、５６Ｃと、冷媒の流路を開閉するための電磁弁５７Ａ、５７Ｂ、５７Ｃ、５７Ｄ、５７Ｅ、５７Ｆを有している。
【００４２】
次に、この冷媒回路について説明するが、前述した如く冷媒としては二酸化炭素を使用するため、その高圧側は超臨界状態となる。即ち、圧縮機４９の高段側圧縮部４９Ｂの吐出側は分岐され、それぞれ電磁弁５７Ａ、５７Ｂを介して各切換室用放熱器３７、４２の入口に接続されている。各切換室用放熱器３７、４２の出口は合流した後、内部熱交換器５４を経て主放熱器５１の入口に接続されている。また、圧縮機４９の吐出側は更に分岐し、電磁弁５７Ｃを介して主放熱器５１の入口に接続されている。
【００４３】
主放熱器５１の出口は内部熱交換器５５を経た後分岐し、それぞれ電磁弁５７Ｄ及び膨張弁５６Ａ、電磁弁５７Ｅ及び膨張弁５６Ｂ、電磁弁５７Ｆ及び電磁弁５６Ｃを介してそれぞれ切換室用冷却器３６、４１、専用室用冷却器４６の入口に接続されている。各冷却器３６、４１、４６の出口は合流した後、吸熱用熱交換器４７の入口に接続されており、これにより、吸熱用熱交換器４７は各冷却器３６、４１、４６の冷媒下流側に位置する。そして、この吸熱用熱交換器４７の出口は内部熱交換器５５及び５４を順次経た後、圧縮機４９の低段側圧縮部４９Ａの吸込側に接続されている。
【００４４】
各室１５、１５、１６にはそれらの温度を独立して検出する図示しない温度センサが設けられ、圧縮機４９や電熱ヒータ３９、４４、各電磁弁５７Ａ〜５７Ｆ、各膨張弁５６Ａ〜５６Ｃ、各送風機３８、４３、４８、５２は、これら温度センサの出力と各種設定に基づいてコントローラ５８により制御される。このコントローラ５８は汎用のマイクロコンピュータから成り、実際は機械室２６の電装箱内に設けられる（図３）。
【００４５】
即ち、各冷温切換室１５と冷却専用室２０を全て冷却する場合、コントローラ５８は電磁弁５７Ａ、５７Ｂを閉じ、電磁弁５７Ｃ〜５７Ｆを開く。これにより、圧縮機４９から吐出された高温高圧の冷媒は電磁弁５７Ｃを経て主放熱器５１に至り、そこで放熱する。その後冷媒は内部熱交換器５５を経て分流され、電磁弁５７Ｄ〜５７Ｆを経て膨張弁５６Ａ〜５６Ｃによりそれぞれ減圧された後、切換室用冷却器３６、４１、専用室用冷却器４６に流入してそれぞれ蒸発する。このときの吸熱作用で各冷温切換室１５、１５及び冷却専用室２０は冷却される。各冷却器３６、４１、４６から出た冷媒は合流して次に吸熱用熱交換器４７に流入し、そこで更に蒸発して吸熱作用を発揮する。
【００４６】
これにより、冷却負荷が小さい場合でも冷却運転や後述するヒートポンプ運転の効率向上が図れると共に、冷却専用室２０の冷却に寄与するため、当該冷却専用室２０の運転率の低下による省エネ化も図ることできる。この吸熱用熱交換器４７から出た冷媒は内部熱交換器５５、５４を経て主放熱器５１から出た冷媒を過冷却し、或いは、後述するように各切換室用放熱器３７、４２から出た冷媒を冷却した後、圧縮機４９に吸い込まれる。また、コントローラ５８は各室１５、２０の温度センサの出力に基づいて電磁弁５７Ｄ〜５７Ｆを開閉することで、各室１５、２０の温度を設定温度に冷却する。
【００４７】
次に、各冷温切換室１５を加熱する場合は、コントローラ５８は電磁弁５７Ａ、５７Ｂ、５７Ｆを開き、電磁弁５７Ｃ、５７Ｄ、５７Ｅは閉じる。これにより、圧縮機４９から吐出された高温高圧の冷媒は分流し、電磁弁５７Ａ、５７Ｂを経て各切換室用放熱器３７、４２にそれぞれ至り、そこで放熱することで各冷温切換室１５を加熱する（ヒートポンプ運転）。各切換室用放熱器３７、４２を出た冷媒は内部熱交換器５４を経て主放熱器５１に流入し、そこで更に放熱する。主放熱器５１を経た冷媒は内部熱交換器５５を経た後、電磁弁５７Ｆを経て膨張弁５６Ｃにより減圧された後、専用室用冷却器４６に流入して蒸発する。このときの吸熱作用で冷却専用室２０は冷却される。専用室用冷却器４６から出た冷媒は次に吸熱用熱交換器４７に流入し、前述同様にそこで更に蒸発して吸熱作用を発揮する。
【００４８】
この吸熱用熱交換器４７から出た冷媒は内部熱交換器５５、５４を経て主放熱器５１から出た冷媒を過冷却し、或いは、各切換室用放熱器３７、４２から出た冷媒を冷却した後、圧縮機４９に吸い込まれる。各切換室用放熱器３７、４２による加熱が不足する場合、コントローラ５８は室１５の温度センサの出力に基づいて電熱ヒータ３９、４４をそれぞれ発熱させ、その不足分を補う。また、この場合は吸熱用熱交換器４７における冷媒の吸熱量が増加するので、圧縮機４９の起動時に吐出する冷媒温度を短時間で上昇させると共に、各切換室用放熱器３７、４２の加熱能力も向上させることができ、電熱ヒータ３９、４４の運転率も下げられることになる。
【００４９】
以上の構成で、次に図３と図４、図６〜図１３を用いて本発明の自動販売機１の機械室２６内の圧縮機４９の配置と機械室仕切板２５の構造について詳細に説明する。前述した如く本発明の自動販売機１は、既存の自動販売機の外扉３、上部側内扉２１及び下部側内扉２２、各商品収納コラム１８を再利用するため、本体２下部の機械室２６の高さ寸法は省エネ対策が施されていない冷却ユニット用の低い値となる。一方、冷却ユニット５３の圧縮機４９は高さ寸法が省エネ対策が施されていない既存の圧縮機よりも高くなるため、そのままでは機械室２６の高さ寸法が不足し、設置することができない。
【００５０】
そこで、本発明では圧縮機４９を図３の如く冷却専用室２０の下方に対応して設けると共に、当該圧縮機４９の上方に対応する部分の機械室仕切板２５の下面に、圧縮機逃げ部６１を形成する。この圧縮機逃げ部６１において、機械室仕切板２５の下面は他の部分の下面よりも所定寸法高くなる。尚、図３において６２、６３は機械室２６の左右において、本体２のユニットベース６４と機械室仕切板２５間に取り付けられた補強材である。
【００５１】
次に、機械室仕切板２５の構造について詳細に説明する。機械室仕切板２５は鋼板製の機械室天板６６と、この機械室天板６６上に配置された断熱材６７〜６９と、パッキン７１と、機械室天板６６に形成された切欠部７２を塞ぐ鋼板製の閉塞板７３から構成されている。機械室天板６６の前端には略垂直に立ち上がった後、前方に更に略直角に折曲された起立フランジ６６Ａが折曲形成されており、この起立フランジ６６Ａを除く機械室天板６６の周囲は本体２の外面材２Ａに溶接固定されている。
【００５２】
前述した如く圧縮機４９を冷却専用室２０の下方に対応する位置の機械室２６内に設置するので、切欠部７２はこの圧縮機４９の上方に対応する位置（冷却専用室２０の下方に対応する位置）の機械室天板６６に形成する。この場合、切欠部７２は機械室天板６６を圧縮機４９の直径よりも小さい所定の幅で起立フランジ６６Ａの下部から後方に連続して切り欠くことにより形成されており、その後端は機械室天板６６の後端より手前で終了している。
【００５３】
そして、この切欠部７２を下方から塞ぐかたちで閉塞板７３が機械室天板６６に宛がわれ、切欠部７２内に挿入された状態で、その周囲のフランジ７３Ｂが機械室天板６６の下面及び起立フランジ６６Ａの前面に溶接されて閉塞板７３は機械室天板６６に固定される。この閉塞板７３は機械室天板６６に固定された状態で、切欠部７２の前端と同じ高さとなる上壁７３Ａを有し、この上壁７３Ａがそのままの高さで後方に延在し、左右及び後側壁７３Ｃが略垂直に降下したかたちとされている。そして、この閉塞板７３の下側に圧縮機逃げ部６１が構成される。従って、圧縮機逃げ部６１は前方及び下方に開放し、当該圧縮機逃げ部６１の天井となる閉塞板７３の上壁７３Ａの下面（機械室仕切板２５の下面）が、他の機械室天板６６の下面（機械室仕切板２５の下面）よりも、切欠部７２前端の高さ−閉塞板７３の厚さ分だけ高くなる。また、この圧縮機逃げ部６１の幅は圧縮機４９の直径よりも小さい（図４）。
【００５４】
前記断熱材６７〜６９はそれぞれ分離した断熱板材であり、断熱材６７が二つの冷温切換室１５の下方に対応して機械室天板６６上に設けられ、断熱材６８が冷却専用室２０の下方における閉塞板７３上に設けられ、断熱材６９がそれ以外の部分の機械室天板６６上に設けられ、冷却専用室２０の下方に対応する。各断熱材６７〜６９は起立フランジ６６Ａの後側に収納設置され、その後部は機械室天板６６の後端まで延在している。従って、閉塞板７３上の断熱材６８と切欠部７２の後側の部分の機械室天板６６との間には閉塞板７３の上壁７３Ａ上面と機械室天板６６上面の高さの差分の隙間が発生するが、この隙間にパッキン７１が設けられて埋められる（図９）。
【００５５】
また、断熱材６８の厚さ寸法は、断熱材６７、６９の厚さ寸法よりも、閉塞板７３の上壁７３Ａ上面の高さと機械室天板６６上面の高さの差分だけ薄く設定されており、これにより、機械室天板６６及び閉塞板７３上に設置された状態で、各断熱材６７、６８、６９の上面は略面一となる。これにより、圧縮機逃げ部６１の部分だけ機械室仕切板２５の断熱厚みは他の部分よりも薄くなるが、断熱材６７〜６９の上面の高さは面一で、断熱材６８だけ上側に出っ張ることもないので、冷却専用室２０を狭めることもなくなる。
【００５６】
そして、圧縮機４９の上部はこの圧縮機逃げ部６１内に図３に示すように進入するので、省エネ対策が施されていない圧縮機より高さ寸法が高い圧縮機４９であっても、支障無く機械室２６内に設置することができる。このとき、圧縮機４９の上部は湾曲しているので、図４のようにその直径より狭い幅の圧縮機逃げ部６１であっても、圧縮機４９が閉塞板７３に当接することはない。
【００５７】
このように、本発明では既存の商品収納コラム１８、外扉３及び上部側内扉２１、下部側内扉２２を利用しながら、既存の圧縮機よりも高さ寸法が高い圧縮機４９を機械室２６に設けるに当たり、冷却専用室２０の下方に対応する部分の機械室仕切板２５の断熱厚みを他の部分よりも薄くすることにより、当該機械室仕切板２５の下面が他の部分よりも高い圧縮機逃げ部６１を形成し、この圧縮機逃げ部６１の下方に対応させて高さ寸法が高い圧縮機４９を設けるようにしたので、高さが低い既存の設計の機械室２６であっても、圧縮機逃げ部６１を利用して、省エネ対策が施された高さ寸法の高い圧縮機４９を設置することができるようになる。これにより、既存の商品収納コラム１８や外扉３、上部側内扉２１、下部側内扉２２を支障無く再利用することが可能となる。
【００５８】
特に、機械室仕切板２５の下面を他の部分より高くして圧縮機逃げ部６１を形成するために、その部分の断熱厚みを薄くしているので、圧縮機逃げ部６１を形成するために冷却専用室２０部分の商品収納部１６が狭くなることも無く、既存の商品収納コラム１８の設置に問題が生じることも無くなる。
【００５９】
尚、冷温切換室１５の下方に対応する部分の機械室仕切板２５の断熱厚みを薄くして圧縮機逃げ部６１を形成した場合、圧縮機４９からの熱影響で冷温切換室１５の温度が上昇し、運転率が上がってしまう。冷温切換室１５の運転率が上がると、切換室用冷却器３６、４１の冷媒下流側にある吸熱用熱交換器４７に流れる冷媒量が増大するため、その吸熱量も増え、冷却専用室２０の温度が必要以上に低下してしまうが、本発明のように冷却専用室２０の下方に対応する部分の機械室仕切板２５の断熱厚みを薄くすることで圧縮機逃げ部６１を形成すれば、係る問題は発生しない。また、冷却専用室２０は通常の場合、冷温切換室１５よりも容量が大きくなるので、圧縮機４９からの熱影響による温度上昇も、冷温切換室１５の場合に比して抑制されると考えられる。
【００６０】
また、機械室仕切板２５は、本体２の外面材２Ａに固定された鋼板製の機械室天板６６と、この機械室天板６６上に設けられた断熱材６７〜６９とから成り、機械室天板６６は、前端にて立ち上がる起立フランジ６６Ａを有し、断熱材６７〜６９はこの起立フランジ６６Ａの後側に収納設置されると共に、圧縮機４９の上方に対応する機械室天板６６には、起立フランジ６６Ａの下部から後方に連続して切り欠かれた切欠部７２が形成され、この切欠部７２はその前端の高さで後退する上壁７３Ａを有した閉塞板７３にて閉塞され、この閉塞板７３下側に圧縮機逃げ部６１が構成されるので、圧縮機逃げ部６１は機械室２６の前面にも開放するかたちとなる。従って、圧縮機４９を機械室２６の前方から容易に設置することが可能となる。
【００６１】
また、切欠部７２は機械室天板６６の後端より手前で終了しているので、切欠部７２の形成に伴う機械室天板６６の強度低下も最小限に抑えることができるようになる。
【００６２】
更に、閉塞板７３上に設けられる断熱材６８と、それ以外の冷却専用室２０部分の下方に対応する機械室天板６６上に設けられる断熱材６９と、冷温切換室１５の下方に対応する機械室天板６６上に設けられる断熱材６７とを分離し、閉塞板７３上の断熱材６８の厚さ寸法を、それ以外の断熱材６７、６９よりも、閉塞板７３の上壁７３Ａ上面の高さと機械室天板６６上面の高さの差分だけ薄くしたので、圧縮機逃げ部６１に対応する機械室仕切板２５の断熱厚みの薄肉化を簡単な構成で達成することができるようになる。
【００６３】
また、断熱材６７〜６９を分離しているので、冷却専用室２０の容積が異なる複数の機種に対して、閉塞板７３上の断熱材６８と冷温切換室１５側の機械室天板６６上の断熱材６７を共用し、冷却専用室２０側の機械室天板６６上の断熱材６９のみ、幅を変更すれば済むようになる。
【００６４】
この場合、閉塞板７３上の断熱材６８は機械室天板６６の後端まで延在しており、断熱材６８と切欠部７２後側の部分の機械室天板６６上面との間にパッキン７１を設けているので、比較的安価なパッキンで隙間を埋めることができ、コストの削減を図ることができるようになる。
【００６５】
また、圧縮機逃げ部６１の幅は圧縮機４９の直径よりも小さくされているので、湾曲している圧縮機４９上部の形状を利用して、必要最小限の幅の圧縮機逃げ部６１にて圧縮機４９を設置することが可能となり、機械室仕切板２５の断熱性能の低下を最小限に抑えることが可能となる。
【００６６】
尚、上記実施例では閉塞板７３の側壁７３Ｃは略垂直に降下するかたちとしたが、図１４に示すように側壁７３Ｃを、下方に拡開するように傾斜させてもよい。このような形状の閉塞板７３とすることで、圧縮機逃げ部６１の側面は下方が拡開する如く傾斜することになるので、圧縮機４９と圧縮機逃げ部６１間の空気の流通が円滑化され、圧縮機４９の放熱性を改善し、冷却ユニット５３の性能向上と冷却専用室２０への熱影響の低減を図ることが可能となる。
【００６７】
また、上記実施例では商品収納コラム１８と外扉３、上部側内扉２１、下部側内扉２２の全てを再利用するようにしたが、それに限らず、それらの何れか一つ若しくは複数を再利用することができれば、省資源化に寄与することが可能となることは云うまでもない。
【符号の説明】
【００６８】
１  自動販売機
２  本体
３  外扉
１５  冷温切換室
１６  商品収納部
１７  収納部仕切板
１８  商品収納コラム
２０  冷却専用室
２５  機械室仕切板
２６  機械室
３６、４１  切換室用冷却器
３７、４２  切換室用放熱器
４６  専用室用冷却器
４７  吸熱用熱交換器
４９  圧縮機
５１  主放熱器
５３  冷却ユニット
６１  圧縮機逃げ部
６６  機械室天板
６６Ａ  起立フランジ
６７〜６９  断熱材
７１  パッキン
７２  切欠部
７３  閉塞板
７３Ａ  上壁
７３Ｃ  側壁
【図１】
2014052769.tif 000003
【図２】
2014052769.tif 000004
【図３】
2014052769.tif 000005
【図４】
2014052769.tif 000006
【図５】
2014052769.tif 000007
【図６】
2014052769.tif 000008
【図７】
2014052769.tif 000009
【図８】
2014052769.tif 000010
【図９】
2014052769.tif 000011
【図１０】
2014052769.tif 000012
【図１１】
2014052769.tif 000013
【図１２】
2014052769.tif 000014
【図１３】
2014052769.tif 000015
【図１４】
2014052769.tif 000016